(57)【要約】  構成要素の変化があった場合に、収集される監視情報の関連付けを自動的に変更可能な監視システム（５）を得ること。監視端末（３）による監視結果である監視情報を収集して保持する監視装置（１１）と、監視システム（５）に接続される監視端末（３）の情報である構成情報を保持する構成情報管理装置（１４）と、監視情報と構成情報とを対応付けた情報であるデータモデルを用いて、監視情報を表示する際のデータである表示データを生成するデータモデル管理装置（１３）と、表示データを取得して監視情報を表示する制御を行う表示装置（１２）と、を備える。
2018096694.tif 000002
【特許請求の範囲】
【請求項１】
監視端末による監視結果である監視情報を収集して保持する監視装置と、
監視システムに接続される前記監視端末の情報である構成情報を保持する構成情報管理装置と、
前記監視情報と前記構成情報とを対応付けた情報であるデータモデルを用いて、前記監視情報を表示する際のデータである表示データを生成するデータモデル管理装置と、
前記表示データを取得して前記監視情報を表示する制御を行う表示装置と、
を備えることを特徴とする監視システム。
【請求項２】
前記データモデル管理装置は、
前記構成情報管理装置が保持する前記構成情報を監視する構成情報監視部と、
前記構成情報に変化があった場合、前記データモデルを変更する整合部と、
前記データモデルに基づいて、前記表示データを生成する表示データ生成部と、
を備えることを特徴とする請求項１に記載の監視システム。
【請求項３】
前記データモデル管理装置は、
ユーザからの入力を受け付けて、前記データモデルの内容を編集する編集部、
を備えることを特徴とする請求項２に記載の監視システム。
【請求項４】
前記データモデル管理装置は、
前記表示データを保持する表示データ格納部、
を備え、
前記表示データ生成部は、前記監視装置から前記監視情報を取得すると前記表示データを生成し、生成した前記表示データを前記表示データ格納部に格納する、
ことを特徴とする請求項２または３に記載の監視システム。
【請求項５】
前記構成情報管理装置は、
前記監視端末の稼働状況についてユーザからの入力を受け付け、前記構成情報を生成する構成情報入力部と、
前記構成情報を格納する構成情報格納部と、
を備えることを特徴とする請求項１から４のいずれか１つに記載の監視システム。
【請求項６】
前記構成情報管理装置は、
前記監視端末の稼働状況を収集し、前記構成情報を生成する構成情報入力部と、
前記構成情報を格納する構成情報格納部と、
を備えることを特徴とする請求項１から４のいずれか１つに記載の監視システム。
【請求項７】
監視端末による監視結果である監視情報を収集して保持する監視装置と、
前記監視情報と、監視システムに接続される前記監視端末の情報である構成情報とを対応付けた情報であるデータモデルを用いて、前記監視情報を表示する際のデータである表示データを生成するデータモデル管理装置と、
前記表示データを取得して前記監視情報を表示する制御を行う表示装置と、
を備えることを特徴とする監視システム。
【請求項８】
前記データモデル管理装置は、
前記監視端末の稼働状況についてユーザからの入力を受け付け、前記構成情報を生成する構成情報入力部と、
前記構成情報に変化があった場合、前記データモデルを変更する整合部と、
前記データモデルに基づいて、前記表示データを生成する表示データ生成部と、
を備えることを特徴とする請求項７に記載の監視システム。
【請求項９】
監視システムに接続される監視端末の情報である構成情報を監視する構成情報監視部と、
前記構成情報に変化があった場合、前記監視端末による監視結果である監視情報と前記構成情報とを対応付けた情報であるデータモデルを変更する整合部と、
前記データモデルに基づいて、前記監視情報を表示する際のデータである表示データを生成する表示データ生成部と、
を備えることを特徴とするデータモデル管理装置。
【請求項１０】
ユーザからの入力を受け付けて、前記データモデルの内容を編集する編集部、
を備えることを特徴とする請求項９に記載のデータモデル管理装置。
【請求項１１】
前記表示データを保持する表示データ格納部、
を備え、
前記表示データ生成部は、前記監視情報を収集する監視装置から前記監視情報を取得すると前記表示データを生成し、生成した前記表示データを前記表示データ格納部に格納する、
ことを特徴とする請求項９または１０に記載のデータモデル管理装置。
【請求項１２】
監視システムに接続される監視端末の稼働状況についてユーザからの入力を受け付け、前記監視システムに接続される前記監視端末の情報である構成情報を生成する構成情報入力部と、
前記構成情報に変化があった場合、前記監視端末による監視結果である監視情報と前記構成情報とを対応付けた情報であるデータモデルを変更する整合部と、
前記データモデルに基づいて、前記監視情報を表示する際のデータである表示データを生成する表示データ生成部と、
を備えることを特徴とするデータモデル管理装置。
【請求項１３】
構成情報監視部が、監視システムに接続される監視端末の情報である構成情報を監視する監視ステップと、
整合部が、前記構成情報に変化があった場合、前記監視端末による監視結果である監視情報と前記構成情報とを対応付けた情報であるデータモデルを変更する変更ステップと、
表示データ生成部が、前記データモデルに基づいて、前記監視情報を表示する際のデータである表示データを生成する表示データ生成ステップと、
を含むことを特徴とする表示データ生成方法。
【請求項１４】
編集部が、ユーザからの入力を受け付けて、前記データモデルの内容を編集する編集ステップ、
を含むことを特徴とする請求項１３に記載の表示データ生成方法。
【請求項１５】
前記表示データ生成ステップにおいて、前記表示データ生成部は、前記監視情報を収集する監視装置から前記監視情報を取得すると前記表示データを生成し、生成した前記表示データを表示データ格納部に格納する、
ことを特徴とする請求項１３または１４に記載の表示データ生成方法。
【請求項１６】
構成情報入力部が、監視システムに接続される監視端末の稼働状況についてユーザからの入力を受け付け、前記監視システムに接続される前記監視端末の情報である構成情報を生成する構成情報生成ステップと、
整合部が、前記構成情報に変化があった場合、前記監視端末による監視結果である監視情報と前記構成情報とを対応付けた情報であるデータモデルを変更する変更ステップと、
表示データ生成部が、前記データモデルに基づいて、前記監視情報を表示する際のデータである表示データを生成する表示データ生成ステップと、
を含むことを特徴とする表示データ生成方法。
【発明の詳細な説明】
【技術分野】
【０００１】
本発明は、設備や機器の状態を監視する監視システム、データモデル管理装置および表示データ生成方法に関するものである。
【背景技術】
【０００２】
従来、監視システムでは、管理者が、予めシステムを構成する構成要素同士の関係を規定し、各構成要素の稼働状態および接続状態と照らし合わせることで、センサから収集される監視情報の整合をとっていた。センサまたはセンサから監視情報を収集する監視機器が故障などによって交換された場合、管理者は、システム構成の確認および監視情報の整合確認が必要となる。具体的に、管理者は、システム構成の確認として構成要素同士の関係を確認し、最新の状態に更新する。また、管理者は、監視情報の整合確認として、監視機器が交換された場合には交換後の監視装置から新たに収集される監視情報が交換前の監視機器から収集されていた監視情報と連続性があることを確認し、各監視情報を関連付けて保存するよう変更する。特許文献１には、システム構成の確認方法として、システムの構成要素の特定および構成要素同士の関係を自動的に更新する仕組みを構築することで、管理者の手間を低減する技術が開示されている。
【先行技術文献】
【特許文献】
【０００３】
【特許文献１】特開２００８−９８６１号公報
【発明の概要】
【発明が解決しようとする課題】
【０００４】
しかしながら、上記従来の技術によれば、センサまたは監視機器の交換について、交換前と交換後では同機種または代替機にする必要がある。そのため、交換対象の機種が生産中止などで入手できない場合には異なる機種を使用することになり、自動的に更新できない可能性がある、という問題があった。また、上記従来の技術によれば、監視情報の整合確認については自動化できていないため、管理者が実施しなければならない、という問題があった。【０００５】
本発明は、上記に鑑みてなされたものであって、構成要素の変化があった場合に、収集される監視情報の関連付けを自動的に変更可能な監視システムを得ることを目的とする。
【課題を解決するための手段】
【０００６】
上述した課題を解決し、目的を達成するために、本発明の監視システムは、監視端末による監視結果である監視情報を収集して保持する監視装置を備える。また、監視システムは、監視システムに接続される監視端末の情報である構成情報を保持する構成情報管理装置を備える。また、監視システムは、監視情報と構成情報とを対応付けた情報であるデータモデルを用いて、監視情報を表示する際のデータである表示データを生成するデータモデル管理装置を備える。また、監視システムは、表示データを取得して監視情報を表示する制御を行う表示装置を備えることを特徴とする。
【発明の効果】
【０００７】
本発明によれば、構成要素の変化があった場合に、収集される監視情報の関連付けを自動的に変更できる、という効果を奏する。
【図面の簡単な説明】
【０００８】
【図１】実施の形態１にかかる監視システムの構成例を示す図
【図２】実施の形態１にかかる監視情報格納部が有する第１のテーブルの例を示す図
【図３】実施の形態１にかかる構成情報格納部が有する第２のテーブルの例を示す図
【図４】実施の形態１にかかるデータモデル格納部が有する第３のテーブルの例を示す図
【図５】実施の形態１にかかるデータモデル管理装置の表示データの生成処理を示すフローチャート
【図６】実施の形態１にかかる構成情報監視部が構成情報格納部を監視する処理を示すフローチャート
【図７】実施の形態１にかかる整合部がデータモデルを変更する処理を示すフローチャート
【図８】実施の形態１にかかる表示データ生成部がデータモデルに即した構成によって監視情報を表示するための表示データを生成する処理を示すフローチャート
【図９】実施の形態１の表示装置で表示される電力系統の監視情報についての表示画面の第１の例を示す図
【図１０】実施の形態１の表示装置で表示される電力系統の監視情報についての表示画面の第２の例を示す図
【図１１】実施の形態１の表示装置で表示される電力系統の監視情報についての表示画面の第３の例を示す図
【図１２】実施の形態１の表示装置で表示される水処理系の配管の監視情報についての表示画面の例を示す図
【図１３】実施の形態１にかかるデータモデル管理装置の処理回路をＣＰＵおよびメモリで構成する場合の例を示す図
【図１４】実施の形態１にかかるデータモデル管理装置の処理回路を専用のハードウェアで構成する場合の例を示す図
【図１５】実施の形態２にかかる監視システムの構成例を示す図
【図１６】実施の形態２にかかる構成情報収集部が構成情報格納部に格納する構成情報を生成する処理を示すフローチャート
【図１７】実施の形態３にかかる監視システムの構成例を示す図
【図１８】実施の形態３にかかる編集部が、ユーザの操作を受け付けてデータモデルを編集する処理を示すフローチャート
【図１９】実施の形態４にかかる監視システムの構成例を示す図
【図２０】実施の形態４にかかる監視情報収集部が監視情報を収集したときの監視情報格納部および通知部に対する処理を示すフローチャート
【図２１】実施の形態４にかかる通知部が表示データ生成部に監視情報を出力する処理を示すフローチャート
【図２２】実施の形態４にかかる表示データ生成部がデータモデルに即した構成によって監視情報を表示するための表示データを生成する処理を示すフローチャート
【図２３】実施の形態４にかかる表示データ格納部が有する表示データを保持するための第４のテーブルの例を示す図
【図２４】実施の形態５にかかる監視システムの構成例を示す図
【図２５】実施の形態５にかかる構成情報入力部がユーザから機器ＩＤの入力を受け付け、整合部に受け渡す処理を示すフローチャート
【図２６】実施の形態５にかかる構成情報抽出部がデータモデル格納部にあるデータモデルから構成情報を再構築する処理を示すフローチャート
【発明を実施するための形態】
【０００９】
以下に、本発明の実施の形態にかかる監視システム、データモデル管理装置および表示データ生成方法を図面に基づいて詳細に説明する。なお、この実施の形態によりこの発明が限定されるものではない。
【００１０】
実施の形態１．
図１は、本発明の実施の形態１にかかる監視システム５の構成例を示す図である。監視システム５は、データセンタ１と、監視機器２と、監視端末３と、を備える。監視システム５では、データセンタ１および監視機器２がネットワーク４を介して接続されている。データセンタ１は、ネットワーク４を介して複数の監視機器２と接続可能である。また、監視機器２は、複数の監視端末３と接続可能である。
【００１１】
監視端末３は、例えば、監視対象の温度、電圧、電流、監視対象にかかる圧力、水位などを計測するセンサ機能を有し、監視対象を監視した結果である監視情報を監視機器２に送信する。監視機器２は、監視端末３による監視結果である監視情報を監視端末３から収集し、ネットワーク４を介して、データセンタ１に送信する。ネットワーク４は、複数の機器が通信を行うことが可能なネットワークであり、例えば、インターネット、またはイントラネットなどである。
【００１２】
データセンタ１の構成について詳細に説明する。データセンタ１は、監視装置１１と、表示装置１２と、データモデル管理装置１３と、構成情報管理装置１４と、を備える。
【００１３】
監視装置１１は、監視端末３による監視結果である監視情報を収集して保持する。監視装置１１は、監視情報収集部１１１と、監視情報格納部１１２と、を備える。図２は、実施の形態１にかかる監視情報格納部１１２が有する第１のテーブルの例を示す図である。第１のテーブルは、各監視端末３の監視情報を保持するためのテーブルである。第１のテーブルには、各監視端末３で監視すなわち計測された監視項目を識別するための監視情報ＩＤ、各監視端末３で計測された監視情報すなわち計測値、および、前述の監視情報すなわち計測値が計測されたときの計測時刻の項目が設定されている。監視情報ＩＤは、監視情報ＩＤで示される監視項目の監視を行った監視端末３を特定することできる識別情報である。監視情報収集部１１１が監視機器２から収集した各監視端末３の監視情報には、図２に示す監視情報ＩＤ、計測値、および計測時刻の情報が含まれている。監視情報格納部１１２は、監視情報を格納するための記憶部である。
【００１４】
監視情報収集部１１１は、ネットワーク４を介して監視機器２から各監視端末３の監視情報を収集すると、収集した監視情報を監視情報格納部１１２に格納、具体的には、監視情報に含まれる監視情報ＩＤ、計測値、および計測時刻の情報を、監視情報格納部１１２が有する第１のテーブルに書き込む。監視情報格納部１１２は、監視情報収集部１１１によって収集された各監視端末３の監視情報を保持する。
【００１５】
表示装置１２は、表示データを取得して監視情報を表示する制御を行う。表示装置１２は、表示データ取得部１２１と、表示部１２２と、を備える。表示データ取得部１２１は、後述するデータモデル管理装置１３で生成された監視情報の表示データをデータモデル管理装置１３から取得し、表示データに基づいて監視情報を表示部１２２に表示する制御を行う。表示部１２２は、ＬＣＤ（Liquid  Crystal  Display）などのディスプレイである。
【００１６】
構成情報管理装置１４は、監視システム５に接続される監視端末３の情報である構成情報を保持する。構成情報管理装置１４は、構成情報入力部１４１と、構成情報格納部１４２と、を備える。図３は、実施の形態１にかかる構成情報格納部１４２が有する第２のテーブルの例を示す図である。第２のテーブルは、各監視端末３の稼働状況の情報である構成情報を保持するためテーブルである。第２のテーブルには、各監視端末３を識別するための機器ＩＤ、監視端末３の稼働状況を示す状態、および、監視端末３の稼働状況を示す状態が最後に確認された時刻、すなわち最新確認時刻の項目が設定されている。構成情報入力部１４１は、監視端末３の稼働状況についてユーザからの入力を受け付けて構成情報を生成し、構成情報格納部１４２に格納する。構成情報格納部１４２は、構成情報を格納するための記憶部である。
【００１７】
データモデル管理装置１３は、監視情報と構成情報とを対応付けた情報であるデータモデルを用いて、監視情報を表示する際のデータである表示データを生成する表示データ生成装置である。データモデル管理装置１３は、構成情報監視部１３１と、整合部１３２と、データモデル格納部１３３と、表示データ生成部１３４と、を備える。図４は、実施の形態１にかかるデータモデル格納部１３３が有する第３のテーブルの例を示す図である。第３のテーブルは、監視情報と構成情報とを対応付けた情報であるデータモデルを保持するためのテーブルである。第３のテーブルには、後述する整合部１３２の処理によって付与された監視機器２を識別するための監視機器ＩＤ、監視情報ＩＤ、機器ＩＤ、機器ＩＤで示される監視端末３の運用を開始した時刻を示す運用開始時刻、および、機器ＩＤで示される監視端末３の運用を終了した時刻を示す運用終了時刻の項目が設定されている。機器ＩＤごとの運用開始時刻および運用終了時刻によって、機器すなわち監視端末３の交換履歴を表している。データモデル格納部１３３は、データモデルを格納するための記憶部である。図４に示すように、データモデル格納部１３３に格納されるデータモデルは、図２に示す監視情報と図３に示す構成情報とを対応付けた情報である。データモデル管理装置１３は、データモデル格納部１３３に格納されるデータモデルを自動的に変更し、監視システム５に含まれる監視機器２および監視端末３の接続関係の情報を最新の状態で保持する。
【００１８】
つづいて、データモデル管理装置１３が監視情報を表示する際のデータである表示データを生成する動作について説明する。図５は、実施の形態１にかかるデータモデル管理装置１３の表示データの生成処理を示すフローチャートである。まず、データモデル管理装置１３において、構成情報監視部１３１が、構成情報管理装置１４の構成情報格納部１４２を参照し、構成情報格納部１４２が保持する情報であって、監視システム５に接続される監視端末３の情報である構成情報を監視する（ステップＳ１）。
【００１９】
図６は、実施の形態１にかかる構成情報監視部１３１が構成情報格納部１４２を監視する処理を示すフローチャートである。構成情報監視部１３１は、構成情報管理装置１４にある構成情報格納部１４２の構成情報を確認し（ステップＳ１１）、変化があるか否か、すなわち更新された情報があるか否かを確認する（ステップＳ１２）。変化がある、すなわち更新された情報がある場合とは、例えば、前回の確認のときに「稼働中」であった機器ＩＤで示される監視端末３の状態が「停止」になり、前回の確認のときになかった機器ＩＤで示される監視端末３が「稼働中」として追加されている場合である。変化がない場合（ステップＳ１２：Ｎｏ）、構成情報監視部１３１は、ステップＳ１１に戻って構成情報格納部１４２の構成情報の確認を継続する。
【００２０】
変化があった場合（ステップＳ１２：Ｙｅｓ）、構成情報監視部１３１は、整合部１３２に構成情報格納部１４２の構成情報を通知する（ステップＳ１３）。構成情報監視部１３１は、構成情報格納部１４２が保持する構成情報の全てを整合部１３２に通知してもよいし、構成情報格納部１４２が保持する構成情報のうち変化のあった部分の構成情報のみを整合部１３２に通知してもよい。構成情報監視部１３１は、ステップＳ１３の処理の後、ステップＳ１１に戻って構成情報格納部１４２の構成情報の確認を継続する。なお、構成情報監視部１３１は、ステップＳ１１に示す処理を周期的に実施してもよし、規定された時刻ごとに実施してもよい。
【００２１】
図５のフローチャートに戻って、整合部１３２は、構成情報格納部１４２の構成情報に変化があった場合、構成情報監視部１３１から構成情報の変化の通知を受けると、データモデル格納部１３３に保持されているデータモデルを変更する（ステップＳ２）。
【００２２】
図７は、実施の形態１にかかる整合部１３２がデータモデルを変更する処理を示すフローチャートである。整合部１３２は、構成情報監視部１３１から構成情報の変化の通知を受けると、データモデル格納部１３３から、構成情報において変化のあった機器ＩＤと関連するデータモデルを検索する（ステップＳ２１）。データモデル格納部１３３に該当するデータモデルがない場合（ステップＳ２２：Ｎｏ）、整合部１３２は、データモデルのキー値となる監視機器ＩＤを自動採番し（ステップＳ２３）、データモデルを新規に作成する（ステップＳ２４）。ステップＳ２２：Ｎｏに該当する場合とは、例えば、監視機器２および監視端末３が新規に追加された場合である。整合部１３２は、新規に作成したデータモデルをデータモデル格納部１３３に格納する（ステップＳ２９）。
【００２３】
データモデル格納部１３３に該当するデータモデルがある場合（ステップＳ２２：Ｙｅｓ）、整合部１３２は、構成情報の変更内容から監視端末３の追加、削除、交換などの入れ替え関係を抽出する（ステップＳ２５）。ステップＳ２２：Ｙｅｓに該当する場合とは、例えば、監視端末３が交換された場合である。整合部１３２は、構成情報監視部１３１から構成情報の全てを通知されている場合、前回通知を受けたときの構成情報と今回通知を受けたときの構成情報との差分から入れ替え関係を抽出してもよい。整合部１３２は、入れ替え関係に対応する監視機器２が収集する監視情報を監視情報格納部１１２から取得する（ステップＳ２６）。入れ替え関係に対応する監視機器２とは、図４に示すデータモデルにおいて、追加、削除、交換などの入れ替え関係にあるいずれかの監視端末３の機器ＩＤと対応している監視機器２である。
【００２４】
整合部１３２は、変化のあった構成情報と監視情報とを対応付けて構成情報変更後のデータモデルを作成し（ステップＳ２７）、構成情報変更前のデータモデルを構成情報変更後のデータモデルに更新する（ステップＳ２８）。監視情報ＩＤは監視を行った監視端末３を特定することできる識別情報であることから、整合部１３２は、図２の監視情報に含まれる監視情報ＩＤ、および図３の構成情報に含まれる機器ＩＤを用いて、変化のあった構成情報と監視情報とを対応付けることができる。整合部１３２は、更新したデータモデルをデータモデル格納部１３３に格納する（ステップＳ２９）。
【００２５】
図４に示すデータモデルでは、監視機器ＩＤ「ＰＣ００１」の監視機器２に接続され、監視情報ＩＤ「ｓｉｇ０００１」、「ｓｉｇ０００２」、および「ｓｉｇ０００３」の監視項目の監視をしていた機器ＩＤ「ｅｑｐ００１」の監視端末３の稼働が停止となり、機器ＩＤ「ｅｑｐ００１」の監視端末３との入れ替えで機器ＩＤ「ｅｑｐ００２」および「ｅｑｐ００３」の監視端末３が稼働中として追加されたことを示している。また、機器ＩＤ「ｅｑｐ００２」の監視端末３が機器ＩＤ「ｅｑｐ００１」の監視端末３に替わって監視情報ＩＤ「ｓｉｇ０００１」および「ｓｉｇ０００２」の監視項目の監視し、機器ＩＤ「ｅｑｐ００３」の監視端末３が機器ＩＤ「ｅｑｐ００１」の監視端末３に替わって監視情報ＩＤ「ｓｉｇ０００３」の監視項目の監視していることを示している。
【００２６】
図５のフローチャートに戻って、表示データ生成部１３４は、表示装置１２から監視情報の表示を行う旨の通知を受けると、データモデルに基づいて、監視情報を表示する際のデータである表示データを生成し、生成した表示データを表示装置１２に出力する（ステップＳ３）。
【００２７】
図８は、実施の形態１にかかる表示データ生成部１３４がデータモデルに即した構成によって監視情報を表示するための表示データを生成する処理を示すフローチャートである。表示データ生成部１３４は、表示装置１２の表示データ取得部１２１から監視情報の表示を行う旨の通知を受けると、データモデル格納部１３３から表示する監視情報に関連するデータモデルを取得する（ステップＳ３１）。表示データ生成部１３４は、表示データ取得部１２１から通知された監視端末３の監視情報について、機器ＩＤに対応する監視情報を監視情報格納部１１２から取得する（ステップＳ３２）。具体的に、表示データ生成部１３４は、監視情報格納部１１２から、機器ＩＤに対応する監視情報ＩＤについての計測値および計測時刻を取得する。
【００２８】
取得したデータモデルにおいて監視端末３の交換履歴があった場合（ステップＳ３３：Ｙｅｓ）、表示データ生成部１３４は、ある監視情報ＩＤに対して、ステップＳ３２において複数の機器ＩＤに対応する監視情報を監視情報格納部１１２から取得していることから、複数の機器ＩＤに対応する監視情報を用いて表示データを生成する（ステップＳ３４）。ステップＳ３３：Ｙｅｓの場合とは、図４のデータモデルにおいて、機器ＩＤ「ｅｑｐ００１」の監視端末３が機器ＩＤ「ｅｑｐ００２」および「ｅｑｐ００３」の監視端末３に交換された場合である。表示データ生成部１３４は、例えば、ある監視情報ＩＤの監視項目を監視する監視端末３が故障などの理由で交換されていた場合、時系列で連続した監視情報についての表示データを生成するときは、交換前の監視端末３による計測値と、交換後の監視端末３による計測値とを用いて表示データを生成する。表示データ生成部１３４は、生成した表示データを表示データ取得部１２１に出力する（ステップＳ３６）。
【００２９】
取得したデータモデルにおいて監視端末３の交換履歴がない場合（ステップＳ３３：Ｎｏ）、表示データ生成部１３４は、ある監視情報ＩＤに対して、ステップＳ３２において１つの機器ＩＤに対応する監視情報を監視情報格納部１１２から取得していることから、１つの機器ＩＤに対応する監視情報を用いて表示データを生成する（ステップＳ３５）。ステップＳ３３：Ｎｏの場合とは、図４のデータモデルにおいて、機器ＩＤ「ｅｑｐ００４」の監視端末３のように交換されていない場合である。表示データ生成部１３４は、生成した表示データを表示データ取得部１２１に出力する（ステップＳ３６）。
【００３０】
なお、ステップＳ３４およびステップＳ３５では１つの監視情報ＩＤについての表示データを生成する場合について説明したが、一例であり、表示データ生成部１３４は、複数の監視情報ＩＤについての表示データを生成することも可能である。この場合、表示データ生成部１３４は、表示データ取得部１２１からの通知で指定される監視情報ＩＤごとに、図８に示すフローチャートの処理を行うが、各監視情報ＩＤに対する処理を並行して行ってもよい。
【００３１】
表示装置１２では、表示データ取得部１２１が、表示データ生成部１３４から表示データを取得すると、表示データで示される監視情報を表示部１２２に表示する制御を行う。
【００３２】
ここで、表示データ生成部１３４で生成される表示データで示される監視情報の表示内容について説明する。図９は、実施の形態１の表示装置１２で表示される電力系統の監視情報についての表示画面の第１の例を示す図である。表示データ生成部１３４は、最新の監視情報を用いて複数の監視情報、図９の例では電力線ごとの電圧、電流、および電力量を示す表示データを生成する。表示装置１２は、表示データ生成部１３４で生成された表示データを用いて、図９に示す表示画面による表示を行う。
【００３３】
図１０は、実施の形態１の表示装置１２で表示される電力系統の監視情報についての表示画面の第２の例を示す図である。表示データ生成部１３４は、ある電力線の電圧についての過去からの監視情報を用いて、時刻による電圧の変化の推移を示す表示データをグラフ形式で生成する。表示装置１２は、表示データ生成部１３４で生成された表示データを用いて、図１０に示す表示画面による表示を行う。
【００３４】
図１１は、実施の形態１の表示装置１２で表示される電力系統の監視情報についての表示画面の第３の例を示す図である。表示データ生成部１３４は、ある電力線の電圧、電流、および電力量についての過去からの監視情報を用いて、時刻による電圧の変化の推移を示す表示データを表形式で生成する。表示装置１２は、表示データ生成部１３４で生成された表示データを用いて、図１１に示す表示画面による表示を行う。
【００３５】
なお、表示データ生成部１３４は、該当する監視情報を監視する監視端末３の入れ替えがあった場合、データモデル格納部１３３のデータモデルを確認することで入れ替え時期を特定できる。そのため、表示データ生成部１３４は、図１１に示すように監視端末３が入れ替わった後、ここでは時刻ｔ４以降の計測値の背景色を変えて、表示データを生成してもよい。
【００３６】
また、監視端末３が入れ替わった場合、入れ替え前の監視端末３に対して入れ替え後の監視端末３の機能が向上した結果、入れ替え後の監視端末３では、入れ替え前の監視端末３よりも、計測精度の向上、短周期での計測などが実現されることが考えられる。このような場合、図１０や図１１に示すように時刻による変化を示す表示では、入れ替えの前後で同じように表示した方が計測値の変化を比較しやすいことがある。そのため、表示データ生成部１３４は、監視端末３で入れ替えがあった場合、入れ替え後の監視端末３の監視情報についても、入れ替え前の監視端末３と同じ計測精度や同じ時刻の間隔で表示データを生成してもよい。
【００３７】
なお、監視システム５の監視対象は電力系統に限定されるものではなく、他の設備にも適用可能である。図１２は、実施の形態１の表示装置１２で表示される水処理系の配管の監視情報についての表示画面の例を示す図である。図９と同様、表示データ生成部１３４は、最新の監視情報を用いて複数の監視情報、図１２の例では配管ごとの水圧を示す表示データを生成する。表示装置１２は、表示データ生成部１３４で生成された表示データを用いて、図１２に示す表示画面による表示を行う。また、表示データ生成部１３４は、図は省略するが図１０や図１１と同様、時刻による計測値の変化を示す表示データを生成することも可能である。
【００３８】
つづいて、データセンタ１のデータモデル管理装置１３のハードウェア構成について説明する。データモデル管理装置１３において、データモデル格納部１３３はメモリにより実現される。構成情報監視部１３１、整合部１３２、および表示データ生成部１３４はインタフェース回路および処理回路により実現される。すなわち、データモデル管理装置１３は、構成情報管理装置１４の構成情報を監視し、データモデルを変更し、監視情報を表示する際のデータである表示データを生成するための処理回路を備える。処理回路は、専用のハードウェアであってもよいし、メモリに格納されるプログラムを実行するＣＰＵ（Central  Processing  Unit）およびメモリであってもよい。
【００３９】
図１３は、実施の形態１にかかるデータモデル管理装置１３の処理回路をＣＰＵおよびメモリで構成する場合の例を示す図である。前述のインタフェース回路は、図１３のインタフェース回路９１である。また、前述のメモリは、図１３のメモリ９３により実現されるが、処理回路を実現するメモリ９３とは別のメモリとしてもよい。処理回路がＣＰＵ９２およびメモリ９３で構成される場合、構成情報監視部１３１、整合部１３２、および表示データ生成部１３４の機能は、ソフトウェア、ファームウェア、またはソフトウェアとファームウェアとの組み合わせにより実現される。ソフトウェアまたはファームウェアはプログラムとして記述され、メモリ９３に格納される。処理回路では、メモリ９３に記憶されたプログラムをＣＰＵ９２が読み出して実行することにより、各部の機能を実現する。すなわち、データモデル管理装置１３は、処理回路により実行されるときに、構成情報管理装置１４の構成情報を監視するステップ、データモデルを変更するステップ、表示データを生成するステップが結果的に実行されることになるプログラムを格納するためのメモリ９３を備える。また、これらのプログラムは、構成情報監視部１３１、整合部１３２、および表示データ生成部１３４の手順および方法をコンピュータに実行させるものであるともいえる。ここで、ＣＰＵ９２は、処理装置、演算装置、マイクロプロセッサ、マイクロコンピュータ、プロセッサ、またはＤＳＰ（Digital  Signal  Processor）などであってもよい。また、メモリ９３とは、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（登録商標）（Electrically  ＥＰＲＯＭ）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。
【００４０】
図１４は、実施の形態１にかかるデータモデル管理装置１３の処理回路を専用のハードウェアで構成する場合の例を示す図である。処理回路が専用のハードウェアである場合、図１４に示す処理回路９４は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。構成情報監視部１３１、整合部１３２、および表示データ生成部１３４の各部の機能各々を処理回路９４で実現してもよいし、各部の機能をまとめて処理回路９４で実現してもよい。
【００４１】
なお、構成情報監視部１３１、整合部１３２、および表示データ生成部１３４の各機能について、一部を専用のハードウェアで実現し、一部をソフトウェアまたはファームウェアで実現するようにしてもよい。このように、処理回路は、専用のハードウェア、ソフトウェア、ファームウェア、またはこれらの組み合わせによって、上述の各機能を実現することができる。
【００４２】
データセンタ１の監視装置１１および構成情報管理装置１４についても、データモデル管理装置１３と同様のハードウェア構成により実現される。表示装置１２については、図１３の例では表示部１２２を実現するためのディスプレイを追加し、図１４の例ではディスプレイを追加してメモリ９３を削除することで実現される。
【００４３】
以上説明したように、本実施の形態によれば、データセンタ１において、データモデル管理装置１３は、構成情報管理装置１４の構成情報を監視し、構成情報に変化があった場合、構成情報と監視端末３の監視結果である監視情報との対応付けの情報であるデータモデルを自動的に変更することとした。これにより、データモデル管理装置１３は、過去の監視情報を構成情報に依らずシームレスに検索および閲覧ができることから、管理者などのユーザの作業負荷を軽減でき、また、監視システム５を運用する作業者などのユーザの監視情報の閲覧性を向上させることができる。
【００４４】
図４に示すデータモデルの例のように、例えば、交換前の監視端末３と同型機が既に生産中止のため、別機種の複数台の構成で交換前の監視端末３と同じ機能を実現させる場合、ユーザが作業を行うことなく、データモデル管理装置１３は、自動的に監視端末３の交換前後の監視情報を関連付けることができる。また、データモデル管理装置１３では、受配電監視制御システムから収集される電力情報をもとに電力需要予測を行う場合、監視システム５を運用する作業者などのユーザが、過去の監視端末３や監視機器２の交換記録から監視情報を再構成する必要がなく、監視情報の履歴を閲覧することが可能となる。
【００４５】
実施の形態２．
実施の形態１では、ユーザが、構成情報入力部１４１から構成情報を入力していた。実施の形態２では、データセンタが、構成情報を自動的に収集して生成する。
【００４６】
図１５は、実施の形態２にかかる監視システム５ａの構成例を示す図である。監視システム５ａは、監視システム５に対して、データセンタ１をデータセンタ１ａに置き換えたものである。データセンタ１ａは、データセンタ１に対して、構成情報管理装置１４を構成情報管理装置１４ａに置き換えたものである。
【００４７】
構成情報管理装置１４ａは、構成情報収集部１４３と、構成情報格納部１４２と、を備える。構成情報収集部１４３は、監視システム５ａに接続される監視端末３の稼働状況の情報を、監視端末３と接続する監視機器２からネットワーク４を介して収集し、構成情報格納部１４２に格納されている構成情報を生成、または最新の状態に更新する。構成情報格納部１４２に格納されている構成情報は実施の形態１と同様である。
【００４８】
図１６は、実施の形態２にかかる構成情報収集部１４３が構成情報格納部１４２に格納する構成情報を生成する処理を示すフローチャートである。構成情報収集部１４３は、ネットワーク４を介して、接続している監視機器２から監視端末３の状態の情報、すなわち稼働状況の情報を取得する（ステップＳ４１）。構成情報収集部１４３は、例えば、ネットワーク４に流れる監視機器２から監視情報収集部１１１への監視情報の内容から監視端末３の稼働状況の情報を取得してもよいし、監視端末３から稼働していることを示す信号が定期的に送信されている場合にはこの信号に基づいて監視端末３の稼働状況の情報を取得してもよい。構成情報収集部１４３は、取得した監視端末３の状態の情報について、構成情報格納部１４２の構成情報を検索する（ステップＳ４２）。
【００４９】
取得した監視端末３に該当する構成情報が既に構成情報格納部１４２にある場合（ステップＳ４３：Ｙｅｓ）、構成情報収集部１４３は、取得した監視端末３の稼働状況に基づいて構成情報の状態および最新確認時刻を更新する（ステップＳ４４）。なお、構成情報収集部１４３は、状態については前回と同じときは更新しなくてよい。
【００５０】
取得した監視端末３に該当する構成情報が構成情報格納部１４２にない場合（ステップＳ４３：Ｎｏ）、構成情報収集部１４３は、取得した監視端末３についての構成情報を新規に作成する（ステップＳ４５）。構成情報収集部１４３は、具体的に、新規の監視端末３を示す機器ＩＤ、当該機器ＩＤで示される監視端末３の状態、および確認した時刻である最新確認時刻による構成情報を生成する。
【００５１】
構成情報収集部１４３は、更新または新規に作成した構成情報を構成情報格納部１４２に格納する（ステップＳ４６）。構成情報収集部１４３は、更新の場合は図４に示す構成情報の該当する機器ＩＤの部分の情報を更新し、新規に格納する場合は図４に示す構成情報の下側に該当する機器ＩＤの情報を追加する。構成情報収集部１４３は、ステップＳ４６の処理の後、ステップＳ４１に戻って、上記処理を繰り返し実行する。なお、構成情報収集部１４３は、ステップＳ４１に示す処理を周期的に実施してもよし、規定された時刻ごとに実施してもよい。
【００５２】
データセンタ１ａにおいて、データモデル管理装置１３、監視装置１１、および表示装置１２の動作は、実施の形態１と同様である。
【００５３】
構成情報管理装置１４ａのハードウェア構成については、実施の形態１と同様、図１３や図１４に示す構成により実現される。
【００５４】
以上説明したように、本実施の形態によれば、データセンタ１ａにおいて、構成情報管理装置１４ａは、監視端末３の稼働状態を自動で収集し、構成情報格納部１４２の構成情報を自動で更新する。これにより、構成情報管理装置１４ａは、ユーザの作業によらず、構成情報格納部１４２の構成情報を最新の状態に維持することができる。
【００５５】
実施の形態３．
実施の形態１，２では、整合部１３２がデータモデル格納部１３３に格納されているデータモデルの内容を自動的に更新していた。実施の形態３では、ユーザがデータモデルの内容を編集できるようにする。実施の形態１，２のいずれにも適用可能であるが、一例として、実施の形態１の構成を例にして説明する。
【００５６】
図１７は、実施の形態３にかかる監視システム５ｂの構成例を示す図である。監視システム５ｂは、図１に示す実施の形態１の監視システム５に対して、データセンタ１をデータセンタ１ｂに置き換えたものである。データセンタ１ｂは、データセンタ１に対して、データモデル管理装置１３をデータモデル管理装置１３ｂに置き換えたものである。
【００５７】
データモデル管理装置１３ｂは、データモデル管理装置１３に、編集部１３５を追加したものである。編集部１３５は、ユーザからの入力を受け付けて、入力された編集内容に応じて、データモデル格納部１３３に格納されているデータモデルの内容を編集、すなわち変更する。ユーザは、例えば、データモデルの内容が最新の状態になっていない場合、データモデルの内容に誤りが含まれている場合などにおいて、編集部１３５を使用してデータモデルの内容を編集する。
【００５８】
図１８は、実施の形態３にかかる編集部１３５が、ユーザの操作を受け付けてデータモデルを編集する処理を示すフローチャートである。編集部１３５は、ユーザからデータモデルの編集内容の入力を受け付ける（ステップＳ５１）。編集対象のデータモデルが既にデータモデル格納部１３３にある場合（ステップＳ５２：Ｙｅｓ）、編集部１３５は、入力された編集内容に応じてデータモデルを更新する（ステップＳ５５）。編集部１３５は、更新されたデータモデルをデータモデル格納部１３３に格納する（ステップＳ５６）。
【００５９】
編集対象のデータモデルがデータモデル格納部１３３にない場合（ステップＳ５２：Ｎｏ）、編集部１３５は、入力された編集内容が新規にデータモデルを追加するために十分な情報量であるか確認する（ステップＳ５３）。入力された編集内容が十分ではない場合（ステップＳ５３：Ｎｏ）、編集部１３５は、ステップＳ５１に戻って編集内容の受け付けを継続する。入力された編集内容が十分の場合（ステップＳ５３：Ｙｅｓ）、編集部１３５は、空のデータモデルを作成し（ステップＳ５４）、空のデータモデルに対して入力された編集内容に応じて書き込み、すなわち入力された編集内容に応じてデータモデルを更新する（ステップＳ５５）。編集部１３５は、更新されたデータモデルをデータモデル格納部１３３に格納する（ステップＳ５６）。
【００６０】
データセンタ１ｂにおいて、監視装置１１、表示装置１２、および構成情報管理装置１４の動作は、実施の形態１と同様である。
【００６１】
データモデル管理装置１３ｂのハードウェア構成については、図１３や図１４に示す構成に対して、ユーザからの編集内容を受け付けるマウス、キーボードなどの入力部を追加することにより実現される。
【００６２】
以上説明したように、本実施の形態によれば、データセンタ１ｂにおいて、データモデル管理装置１３ｂは、ユーザからの入力を受け付けて、データモデルを随時追加・変更できるようにした。これにより、ユーザは、データモデル管理装置１３ｂに対して、監視システム５ｂにおいて監視端末３などの構成が変化する場合以外の機器同士の意味付けを変更することができる。
【００６３】
実施の形態４．
実施の形態１から３では、表示データ生成部１３４は、表示装置１２の表示データ取得部１２１から通知を受けてから表示データを生成していた。実施の形態４では、表示データ生成部は、表示データ取得部１２１からの通知によらず表示データを生成する場合について説明する。実施の形態１から３のいずれにも適用可能であるが、一例として、実施の形態１の構成を例にして説明する。
【００６４】
図１９は、実施の形態４にかかる監視システム５ｃの構成例を示す図である。監視システム５ｃは、図１に示す実施の形態１の監視システム５に対して、データセンタ１をデータセンタ１ｃに置き換えたものである。データセンタ１ｃは、データセンタ１に対して、監視装置１１を監視装置１１ｃに置き換え、データモデル管理装置１３をデータモデル管理装置１３ｃに置き換えたものである。
【００６５】
監視装置１１ｃの構成および動作について説明する。監視装置１１ｃは、監視装置１１に対して、監視情報収集部１１１を監視情報収集部１１１ｃに置き換え、さらに、通知部１１３を追加したものである。監視情報収集部１１１ｃは、監視情報収集部１１１の機能に加えて、収集した監視情報を監視情報格納部１１２に格納した後、監視情報を格納したことを通知部１１３に通知する。通知部１１３は、監視情報格納部１１２から監視情報を取得して表示データ生成部１３４ｃへ出力する。
【００６６】
図２０は、実施の形態４にかかる監視情報収集部１１１ｃが監視情報を収集したときの監視情報格納部１１２および通知部１１３に対する処理を示すフローチャートである。監視情報収集部１１１ｃは、監視機器２から監視情報を取得すると（ステップＳ６１）、監視情報が正常か否かを確認する（ステップＳ６２）。通信エラーなどによって監視情報を正常に取得できなかった場合（ステップＳ６２：Ｎｏ）、監視情報収集部１１１ｃは、処理を終了する。監視情報を正常に取得できた場合（ステップＳ６２：Ｙｅｓ）、監視情報収集部１１１ｃは、取得した監視情報を監視情報格納部１１２に格納し（ステップＳ６３）、さらに、監視情報格納部１１２に監視情報を格納したことを通知部１１３に通知する（ステップＳ６４）。監視情報収集部１１１ｃは、監視機器２から監視情報を取得するごとに、図２０に示すフローチャートの処理を行う。
【００６７】
図２１は、実施の形態４にかかる通知部１１３が表示データ生成部１３４ｃに監視情報を出力する処理を示すフローチャートである。通知部１１３は、監視情報収集部１１１ｃから監視情報を格納したことの通知を受けると、監視情報格納部１１２から対象の監視情報を取得し（ステップＳ７１）、取得した監視情報を表示データ生成部１３４ｃに出力する（ステップＳ７２）。
【００６８】
つぎに、データモデル管理装置１３ｃの構成および動作について説明する。データモデル管理装置１３ｃは、データモデル管理装置１３に対して、表示データ生成部１３４を表示データ生成部１３４ｃに置き換え、さらに、表示データ格納部１３６を追加したものである。表示データ生成部１３４ｃは、監視装置１１ｃの通知部１１３から監視情報を取得すると表示データを生成し、生成した表示データを表示データ格納部１３６に格納する。表示データ格納部１３６は、表示データを格納するための記憶部である。
【００６９】
図２２は、実施の形態４にかかる表示データ生成部１３４ｃがデータモデルに即した構成によって監視情報を表示するための表示データを生成する処理を示すフローチャートである。まず、表示データ生成部１３４ｃは、監視装置１１ｃの通知部１１３から監視情報を取得する（ステップＳ３７）。表示データ生成部１３４ｃは、通知部１１３から取得した監視情報に対応する表示データを生成するが、表示データを生成する処理自体は、実施の形態１で説明した図８のフローチャートのステップＳ３１からステップＳ３５までの処理と同様である。表示データ生成部１３４ｃは、生成した表示データを表示データ格納部１３６に格納する（ステップＳ３８）。なお、表示データ生成部１３４ｃは、通知部１１３から監視情報が収集された旨の通知のみを受け、実施の形態１などと同様、監視情報格納部１１２から監視情報を取得してもよい。
【００７０】
図２３は、実施の形態４にかかる表示データ格納部１３６が有する表示データを保持するための第４のテーブルの例を示す図である。第４のテーブルには、監視機器ＩＤ、監視情報ＩＤ、計測値、および計測時刻の項目が設定されている。なお、図２３では簡単な監視情報の例を示しているが、一例であり、実際に表示データ格納部１３６に格納される表示データは、実施の形態１で説明したように表示装置１２が図９から図１２に示すような表示内容を表示可能なものである。
【００７１】
データセンタ１ｃにおいて、表示装置１２、および構成情報管理装置１４の動作は、実施の形態１と同様である。
【００７２】
監視装置１１ｃおよびデータモデル管理装置１３ｃのハードウェア構成については、実施の形態１と同様、図１３や図１４に示す構成により実現される。
【００７３】
以上説明したように、本実施の形態によれば、データセンタ１ｃにおいて、データモデル管理装置１３ｃは、表示装置１２からの通知を受けて表示データを生成するのではなく、監視情報が収集されたタイミングで表示データを生成して格納しておくこととした。これにより、データモデル管理装置１３ｃは、表示装置１２が複数あった場合、複数の表示装置１２から同じ監視情報を表示することの通知が来たときに表示データの生成処理が重複して実行されることがなくなり、表示データの生成処理の負荷を低減することができる。また、データモデル管理装置１３ｃは、予め表示データを生成しておくことにより、表示装置１２の通知を受けてから表示データを生成する実施の形態１から３と比較して、表示装置１２に表示データを出力するまでの時間を短縮することができる。
【００７４】
実施の形態５．
実施の形態１などでは、元々監視装置１１、表示装置１２、および構成情報管理装置１４を有する監視システムに対して、データモデル管理装置１３を追加することで、データモデルを用いて表示データを生成することができる。しかしながら、簡易な監視システムでは、構成情報管理装置１４を備えないものもある。実施の形態５では、構成情報管理装置１４を備えない監視システムにおいて、データモデルを用いて表示データを生成する場合について説明する。
【００７５】
図２４は、実施の形態５にかかる監視システム５ｄの構成例を示す図である。監視システム５ｄは、図１に示す実施の形態１の監視システム５に対して、データセンタ１をデータセンタ１ｄに置き換えたものである。データセンタ１ｄは、データセンタ１に対して、構成情報管理装置１４を削除し、データモデル管理装置１３をデータモデル管理装置１３ｄに置き換えたものである。データモデル管理装置１３ｄは、監視情報と、監視システム５ｄに接続される監視端末３の情報である構成情報とを対応付けた情報であるデータモデルを用いて、監視情報を表示する際のデータである表示データを生成する。
【００７６】
データモデル管理装置１３ｄは、データモデル管理装置１３に対して、構成情報監視部１３１を削除し、構成情報入力部１３７および構成情報抽出部１３８を追加したものである。構成情報入力部１３７は、ユーザから機器ＩＤの入力を受け付け、構成情報を生成する。構成情報抽出部１３８は、構成情報入力部１３７で受け付けられた機器ＩＤに該当するデータモデルをデータモデル格納部１３３から抽出する。
【００７７】
図２５は、実施の形態５にかかる構成情報入力部１３７がユーザから機器ＩＤの入力を受け付け、整合部１３２に受け渡す処理を示すフローチャートである。構成情報入力部１３７は、ユーザから機器ＩＤの入力を受け付けると（ステップＳ８１）、構成情報抽出部１３８に機器ＩＤの情報を受け渡し、構成情報抽出部１３８から構成情報を取得する（ステップＳ８２）。なお、構成情報抽出部１３８が、構成情報入力部１３７から機器ＩＤを受け渡されて、構成情報入力部１３７に構成情報を出力する処理については後述する。構成情報入力部１３７は、構成情報抽出部１３８から構成情報を取得し、構成情報に空の項目があるか否かを確認する（ステップＳ８３）。
【００７８】
構成情報の項目が空でない場合（ステップＳ８３：Ｙｅｓ）、構成情報入力部１３７は、ユーザに対して、現在、データモデル格納部１３３に格納されている内容に基づく構成情報を提示する（ステップＳ８４）。構成情報の項目が空の場合（ステップＳ８３：Ｎｏ）、構成情報入力部１３７は、ステップＳ８４の処理を省略する。構成情報入力部１３７は、ユーザから、構成情報の各項目に対する入力を受け付ける（ステップＳ８５）。入力された各項目に対する内容が十分ではない場合（ステップＳ８６：Ｎｏ）、構成情報入力部１３７は、ステップＳ８５に戻って各項目に対する内容の受け付けを継続する。入力された各項目に対する内容が十分の場合（ステップＳ８６：Ｙｅｓ）、構成情報入力部１３７は、入力内容に応じて構成情報を更新する（ステップＳ８７）。構成情報入力部１３７は、更新した構成情報を整合部１３２に受け渡す（ステップＳ８８）。
【００７９】
図２６は、実施の形態５にかかる構成情報抽出部１３８がデータモデル格納部１３３にあるデータモデルから構成情報を再構築する処理を示すフローチャートである。構成情報抽出部１３８は、構成情報入力部１３７から機器ＩＤが受け渡されると、受け渡された機器ＩＤに該当するデータモデルをデータモデル格納部１３３から取得する（ステップＳ９１）。構成情報抽出部１３８は、空の構成情報を生成する（ステップＳ９２）。
【００８０】
データモデルがある、すなわちステップＳ９１においてデータモデル格納部１３３からデータモデルを取得できた場合（ステップＳ９３：Ｙｅｓ）、構成情報抽出部１３８は、取得したデータモデルの内容を構成情報にセットする（ステップＳ９４）。構成情報抽出部１３８は、データモデル中にない状態の項目については、データモデル内にある運用開始時刻および運用終了時刻に基づく交換履歴から判定して補完し、セットする（ステップＳ９５）。データモデルがない、すなわちステップＳ９１においてデータモデル格納部１３３からデータモデルを取得できなかった場合（ステップＳ９３：Ｎｏ）、構成情報抽出部１３８は、ステップＳ９４およびステップＳ９５の処理を省略する。構成情報抽出部１３８は、生成した構成情報を要求元である構成情報入力部１３７に出力する（ステップＳ９６）。
【００８１】
データモデル管理装置１３ｄにおいて、整合部１３２、および表示データ生成部１３４の動作は、実施の形態１と同様である。また、データセンタ１ｄにおいて、監視装置１１、および表示装置１２の動作は、実施の形態１と同様である。
【００８２】
データモデル管理装置１３ｄのハードウェア構成については、図１３や図１４に示す構成に対して、ユーザからの構成情報の入力内容を受け付けるマウス、キーボードなどの入力部を追加することにより実現される。
【００８３】
以上説明したように、本実施の形態によれば、データセンタ１ｄにおいて、データモデル管理装置１３ｄは、ユーザからの入力を受け付けて、実施の形態１の構成情報管理装置１４が保持していていた構成情報を生成することとした。これにより、データセンタ１ｄは、構成情報を収集する装置がない場合でも、ユーザが構成情報の設定を実施することで、監視システム５ｄでデータモデルを用いた表示データの生成が可能とする。また、データセンタ１ｄでは、構成情報管理装置１４が不要となる廉価な構成が可能となる。
【００８４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００８５】
１，１ａ，１ｂ，１ｃ，１ｄ  データセンタ、２  監視機器、３  監視端末、４  ネットワーク、５，５ａ，５ｂ，５ｃ，５ｄ  監視システム、１１，１１ｃ  監視装置、１２  表示装置、１３，１３ｂ，１３ｃ，１３ｄ  データモデル管理装置、１４，１４ａ  構成情報管理装置、１１１，１１１ｃ  監視情報収集部、１１２  監視情報格納部、１１３  通知部、１２１  表示データ取得部、１２２  表示部、１３１  構成情報監視部、１３２  整合部、１３３  データモデル格納部、１３４，１３４ｃ  表示データ生成部、１３５  編集部、１３６  表示データ格納部、１３７，１４１  構成情報入力部、１３８  構成情報抽出部、１４２  構成情報格納部、１４３  構成情報収集部。
【図１】
2018096694.tif 000003
【図２】
2018096694.tif 000004
【図３】
2018096694.tif 000005
【図４】
2018096694.tif 000006
【図５】
2018096694.tif 000007
【図６】
2018096694.tif 000008
【図７】
2018096694.tif 000009
【図８】
2018096694.tif 000010
【図９】
2018096694.tif 000011
【図１０】
2018096694.tif 000012
【図１１】
2018096694.tif 000013
【図１２】
2018096694.tif 000014
【図１３】
2018096694.tif 000015
【図１４】
2018096694.tif 000016
【図１５】
2018096694.tif 000017
【図１６】
2018096694.tif 000018
【図１７】
2018096694.tif 000019
【図１８】
2018096694.tif 000020
【図１９】
2018096694.tif 000021
【図２０】
2018096694.tif 000022
【図２１】
2018096694.tif 000023
【図２２】
2018096694.tif 000024
【図２３】
2018096694.tif 000025
【図２４】
2018096694.tif 000026
【図２５】
2018096694.tif 000027
【図２６】
2018096694.tif 000028
【国際調査報告】
2018096694.tif 000029
2018096694.tif 000030